(57)【要約】【課題】掻き込みリールの回転速度調節の操作と、機体の速度調整の操作とを容易に両立させることができ、熟練性を有することなく操作性と安全性とを向上させることができる操作部を提供すること。【解決手段】操作部を具備する走行車体の前方に刈取部を昇降自在に取り付け、同刈取部に掻き込みリールを取り付けて、同掻き込みリールの回転動作により圃場の穀桿を掻き込み可能としたコンバインにおいて、操作部に配設した操向操作具に、掻き込みリールの回転数を増・減速調節操作するためのリール増・減速操作手段を設けた。【選択図】図１
2007195557.tif 000002
【特許請求の範囲】
【請求項１】
操作部を具備する走行車体の前方に刈取部を昇降自在に取り付け、同刈取部に掻き込みリールを取り付けて、同掻き込みリールの回転動作により圃場の穀桿を掻き込み可能としたコンバインにおいて、
操作部に配設した操向操作具に、掻き込みリールの回転数を増・減速調節操作するためのリール増・減速操作手段を設けたことを特徴とするコンバインの操作部構造。
【発明の詳細な説明】
【技術分野】
【０００１】
本発明は、コンバインの操作部構造に関する。
【背景技術】
【０００２】
従来、コンバインの一形態として、操作部を具備する走行車体の前方に刈取部を昇降自在に取り付け、同刈取部に掻き込みリールを進退・昇降機構を介して取り付けて、同掻き込みリールの回転動作により圃場の穀桿を掻き込み可能としたものがある。
【０００３】
そして、かかる掻き込みリールの操作は、操縦部に配設した操作手段を介して行っている。
【０００４】
例えば、運転座席の直前方に操向用のステアリングホイールや操向レバー等の操向操作具を配設したコンバインにおいて、運転座席の左側に操作コラムを形成し、同操作コラムに主変速レバー等と共に掻き込みリールの前後位置調節や回転速度調節を行う操作手段としての操作レバーを立設し、この操作レバーを操作することにより、掻き込みリールの前後位置調節や回転速度調節をおこなうようにしている（例えば、特許文献１参照。）。
【特許文献１】実開昭６２−７７５２４号公報
【発明の開示】
【発明が解決しようとする課題】
【０００５】
ところが、上記構成のものは、操作性について未だ解決されていない課題が残されていた。
【０００６】
すなわち、右手で操向操作具を把持し、左手で主変速レバーを把持した状態で刈取作業を行っている際に、掻き込みリールの回転速度調節を行う場合には、一旦主変速レバーから左手を離し、この左手で回転速度の操作レバーを操作することとなるため、操作レバーを把持している間は、機体の速度調整を行うことができず、掻き込みリールの回転速度調節の操作と、機体の速度調整の操作とを両立するのは困難であった。
【０００７】
本発明は、上記課題を解決することのできるコンバインを提供することを目的としている。
【課題を解決するための手段】
【０００８】
そこで、本発明では、操作部を具備する走行車体の前方に刈取部を昇降自在に取り付け、同刈取部に掻き込みリールを取り付けて、同掻き込みリールの回転動作により圃場の穀桿を掻き込み可能としたコンバインにおいて、操作部に配設した操向操作具に、掻き込みリールの回転数を増・減速調節操作するためのリール増・減速操作手段を設けたことを特徴とするコンバインの操作部構造を提供するものである。
【発明の効果】
【０００９】
本発明によれば、次のような効果が得られる。
【００１０】
請求項１記載の本発明では、操作部に配設した操向操作具に、掻き込みリールの回転数を増・減速調節操作するためのリール増・減速操作手段を設けている。
【００１１】
このようにして、掻き込みリールの回転数を増・減速調節する際には、操向操作具に取り付けたリール増・減速操作手段を操作することにより、所望の調節を適宜行うことができる。
【００１２】
従って、リールの増・減速調節を、倒伏稈などの田圃における作物条件に適応させるべく細やかな調節を行うことができると共に、安全性を良好に確保することができる。
【００１３】
しかも、リール増・減速操作手段は、操作コラムとは別の場所である操向操作具に取り付けているため、操作コラム上で行う操作の煩雑さを解消することができて、熟練性を有することなく簡単かつ確実に操作を行うことができ、その結果、操作性と刈り取り作業効率と安全性とを向上させることができる。
【発明を実施するための最良の形態】
【００１４】
以下に、本発明の実施の形態について説明する。
【００１５】
すなわち、本発明に係る操作部構造を装備するコンバインは、基本的構造として、操作部を具備する走行車体の前方に刈取部を昇降自在に取り付け、同刈取部に掻き込みリールを進退・昇降機構を介して取り付けて、同掻き込みリールの回転動作により圃場の穀桿を掻き込み可能としている。
【００１６】
そして、特徴的構造として、操作部の床部にハンドルコラムを立設し、同ハンドルコラムの上端部にハンドルとしてのステアリングホイールを取り付け、同ステアリングホイールに、掻き込みリールを前・後方向に進退位置調節操作するためのリール進出・後退操作手段と、掻き込みリールの回転数を増・減速調節操作するためのリール増・減速操作手段とを設けている。
【００１７】
このようにして、掻き込みリールを前・後方向に進退位置調節したり、掻き込みリールの回転数を増・減速調節する際には、ステアリングホイールに取り付けたリール進出・後退操作手段やリール増・減速操作手段を操作することにより、所望の調節を適宜行うことができる。
【００１８】
この際、リール進出・後退操作手段やリール増・減速操作手段は、操向操作のためにオペレータがステアリングホイールを把持する左右側若しくはそのいずれか一側の個所の近傍にそれぞれ配置しておくことにより、これら操作手段の操作をステアリングホイールを両手で把持したまま、前方の穀桿の生育状態を視認しながら楽に行うことができる。
【００１９】
従って、掻き込みリールの進退位置調節や増・減速調節を穀桿の生育状況に適応させるべく細やかな調節を行うことができると共に、安全性を良好に確保することができる。
【００２０】
しかも、リール進出・後退操作手段やリール増・減速操作手段は、操作コラムとは別の場所であるステアリングホールに取り付けているため、操作コラム上で行う操作の煩雑さを解消することができて、熟練性を有することなく簡単かつ確実に操作を行うことができ、その結果、操作性と刈り取り作業効率と安全性とを向上させることができる。
【００２１】
また、リール進出・後退操作手段とリール増・減速操作手段は、ステアリングホイールの一個所に集中配置している。
【００２２】
このようにして、オペレータの利き手で把持するステアリングホイールの個所の近傍に両操作手段を集中配置することにより、より一層操作性を向上させることができる。
【００２３】
また、リール進出・後退操作手段とリール増・減速操作手段とを一体化して単一操作手段となし、同単一操作手段により掻き込みリールを前・後方向に進退位置調節する操作と、掻き込みリールの回転数を増・減速調節する操作とが行えるようにしている。
【００２４】
このようにして、操作手段のコンパクト化を図ることができると共に、ステアリングホイールを回動させて行う操向操作を継続させながら、リール進出・後退調節操作とリール増・減速調節操作との切替操作を、円滑かつ確実に行うことができて、操作性と刈り取り作業効率と安全性とを向上させることができる。
【００２５】
また、ステアリングホイールに、刈取部を所定の刈取作業開始位置に自動的にセットするための自動セット用操作手段と、刈取作業終了時に刈取部を所定の位置まで自動的にリフトさせる自動リフト用操作手段とを設けている。
【００２６】
このようにして、自動セット用操作手段と自動リフト用操作手段とを、操向操作のためにオペレータがステアリングホイールを把持する左右側若しくはそのいずれか一側の個所の近傍にそれぞれ配置しておくことにより、ステアリングホイールを両手で把持したままこれら操作手段を楽に操作することができる。
【００２７】
ここで、自動セット用操作手段と自動リフト用操作手段は、リール進出・後退操作手段やリール増・減速操作手段とは、形状等を異ならせることにより、触っただけでも判別することができるようにして、誤操作の防止を図ることができる。
【００２８】
以下に、本発明の実施例を、図面を参照しながら説明する。
【００２９】
図１は、本実施例にかかる汎用コンバインの側面図、図２は、同汎用コンバインの平面図、図３は刈取部の説明図である。
【００３０】
図１及び図２に示すように、本実施例に係る汎用コンバインＡは、左右一対のクローラ式の走行部1,1間に機体フレーム２を架設し、同機体フレーム２上において、右側前部にキャビン３を配設し、同キャビン３の後方に原動機部（図示せず）及び穀粒貯留タンク４を配設する一方、左側部に脱穀部５を配設し、同脱穀部５の下方に揺動選別部６と風選別部７を配設している。4aは穀粒放出筒、5aは扱胴、7aは唐箕である。
【００３１】
また、機体フレーム２の前部には刈取部８を搬送部９を介して昇降自在に取り付けている。
【００３２】
刈取部８は、図1〜図３に示すように、刈り取りフレーム10と、同刈り取りフレーム10に取り付けて圃場に植立する穀桿を分草する分草体11と、同分草体11により分草された穀桿を後方へ掻き込む掻き込みリール12と、同掻き込みリール12により掻き込まれた穀桿を株元部から刈り取る刈刃13と、同刈刃13により刈り取られた穀桿を中央部に掻き寄せる掻き寄せオーガ14とを具備している。
【００３３】
掻き込みリール12は、図３に示すように、刈り取りフレーム10に進退・昇降機構15を介して取り付けており、同進退・昇降機構15は、刈り取りフレーム10に左右一対の進退作動用レバー体16,16の中途部を左右方向に軸線を向けた枢軸17,17により枢支して、両進退作動用レバー体16,16を枢軸17,17を中心に前後回動自在となし、各進退作動用レバー体16,16の下端部と刈り取りフレーム10との間にそれぞれ進退作動用シリンダ18,18を介設する一方、各進退作動用レバー体16,16の上端部に左右一対の昇降アーム19,19の基端部を左右方向に軸線を向けた枢支ピン20,20により枢支して、各昇降アーム19,19を上下回動自在となし、各昇降アーム19,19の中途部と刈り取りフレーム10との間にそれぞれ昇降用シリンダ21,21を介設している。
【００３４】
そして、掻き込みリール12は、左右一対の昇降アーム19,19の先端部間に回転支軸22を介して回転自在に架設し、同回転支軸22の右側端部と原動機部とを伝動ケース23等を介して連動連結している。12aは掻き込みタインである。
【００３５】
このようにして、掻き込みリール12は、進退・昇降機構15の進退作動用シリンダ18,18を伸縮作動させることにより前後方向に進退位置調節可能とすると共に、昇降用シリンダ21,21を伸縮作動させることにより上下方向に昇降位置調節可能として、掻き込みリール12を穀稈の倒伏状態や生育状態に適応させた掻き込み位置に配置することができるようにしている。
【００３６】
搬送部９は、内部に搬送コンベヤ24を配設しており、同搬送コンベヤ24は、掻き寄せオーガ14により掻き寄せられた穀桿を脱穀部５に搬送するようにしている。
【００３７】
そして、搬送部９と機体フレーム２との間には刈取部昇降用シリンダ25を介設して、同刈取部昇降用シリンダ25を伸縮作動させることにより刈取部８の全体を昇降させて、所望の刈高さに設定することができるようにしている。
【００３８】
なお、図３中、26は刈取部８の刈取り高さを自動調節するための接地型センサであり、支軸27を中心に下方へ回動して接地し、圃場の凹凸を検出することができるようにしている。
【００３９】
ここで、前記したキャビン３内には本発明の要部をなす操作部30を設けており、以下に、かかる操作部30の構成について、図１〜図４を参照しながら説明する。
【００４０】
操作部30は、床部31にハンドルコラム32を立設し、同ハンドルコラム32の上端部にハンドルとしてのステアリングホイール33を取り付け、同ステアリングホイール33の後方に運転席34を配置し、同運転席34の左側方に操作コラム35を配置して、同操作コラム35に変速レバー36等を取り付け、同変速レバー36の握り部36aに掻き込みリール12を昇降させるためのリール昇降用スイッチ37と、刈取部８を昇降させるための刈取部昇降用スイッチ38と、刈取部８を所定の刈取作業開始位置に自動的にセットするための自動セット用スイッチ39と、刈取作業終了時に刈取部８を所定の位置まで自動的にリフトさせる自動リフト用スイッチ40とを設けている。
【００４１】
そして、図４に示すように、操作コラム35上において、41,42は、スピードメータやタコメータなどを中心とするメータ類、43は、刈取部８の昇降スイッチ群、44は刈取クラッチ、45は、揺動選別部６において、穀稈の状態に応じて穀粒などの漏下量を適宜変更するためにシーブの角度を変更するシーブ角度変更レバー、46は刈取高微調整用ペダル、47は、掻き込みリール12の地上高を自動的に設定するためのリール高さ設定用ボリュウムスイッチ、48は、掻き込みリール12の回転速度を車速に同調させて自動的に設定するためのリール回転速度設定用ボリュウムスイッチである。
【００４２】
また、図４示すように、ハンドルコラム32の右側壁にはパターン切替レバー50を設けており、パターン切替レバー50は、掻き込みリール12の回転速度と車速とを自動的に同調させる自動同調パターンと、同自動同調パターンを解除して、掻き込みリール12の回転速度をマニュアル操作可能とするとに切り替えるためレバーである。
【００４３】
このようにして、あらかじめパターン切替レバー50を操作して自動同調パターンに設定しておくことにより、変速レバー36を操作して車速を変更した際にも、図示しない制御部を介して掻き込みリール12の回転速度と車速とを自動的に同調させることができて、刈り取り作業効率を良好に確保することができる。
【００４４】
ステアリングホイール33には、図４及び図５に示すように、掻き込みリール12を前・後方向に進退位置調節操作するためのリール進出・後退操作手段60と、掻き込みリール12の回転数を増・減速調節操作するためのリール増・減速操作手段61とを設けている。
【００４５】
すなわち、リール進出・後退操作手段60は、ステアリングホイール33の右側前部の内周面に一体成形した操作手段取付片62の上面に取り付けており、同リール進出・後退操作手段60としてリール進出操作用スイッチ部６0aとリール後退操作用スイッチ部60bとを具備するシーソ式のスイッチを使用して、リール進出操作用スイッチ部６0aを前側に配置すると共に、リール後退操作用スイッチ部60bを後側に配置している。
【００４６】
ここで、リール進出・後退操作手段60の配設位置は、図５に示すように、ステオペレータの右手H1がステアリングホイール33を把持する個所の近傍となして、オペレータがステアリングホイール33を右手H1で把持したままその親指F1によりリール進出操作用スイッチ部６0aとリール後退操作用スイッチ部60bとをそれぞれ楽に操作することができるようにしている。
【００４７】
また、リール増・減速操作手段61は、ステアリングホイール33の左側前部の内周面に一体成形した操作手段取付片63の上面に取り付けており、同リール増・減速操作手段61としてリール増速操作用スイッチ部６1aとリール減速操作用スイッチ部61bとを具備するシーソ式のスイッチを使用して、リール増速操作用スイッチ部６1aを前側に配置すると共に、リール減速操作用スイッチ部61bを後側に配置している。
【００４８】
ここで、リール増・減速操作手段61の配設位置は、図５に示すように、ステオペレータの左手H2がステアリングホイール33を把持する個所の近傍となして、オペレータがステアリングホイール33を左手H2で把持したままその親指F2によりリール増速操作用スイッチ部６1aとリール減速操作用スイッチ部61bとをそれぞれ楽に操作することができるようにしている。
【００４９】
なお、リール進出・後退操作手段60とリール増・減速操作手段61は、同一形態のスイッチを使用して、接続コードの中途部を接続しているカプラーを相互につなぎ替えることにより、両者の配設位置を簡単に入れ替えることができ、オペレータの好みに適応させることができる。
【００５０】
このようにして、あらかじめパターン切替レバー50を操作してマニュアルパターンに設定しておき、かかるマニュアルパターンにて、穀桿の姿勢や成育状況に応じてリール増・減速操作用スイッチ部61a,61bを適宜左手H2の親指F2により押し操作して、原動機部と伝動ケース23との間に介設した図示しない変速機構を制御部を介して増速作動させることにより、掻き込みリール12の回転速度を微妙に調節することができるようにしている。
【００５１】
また、同様に、リール進出・後退操作用スイッチ部60a,60bを適宜押し操作して、進退作動用シリンダ18,18を図示しない制御部を介して伸縮作動させることにより、掻き込みリール12を前後方向に進退位置調節することができるようにしている。
【００５２】
この際、かかるリール増・減速操作用スイッチ部61a,61bとリール進出・後退操作用スイッチ部60a,60bは、オペレータがステアリングホイール33を両手で把持して操作している場合にも、前方の穀桿の状態を視認しながらスイッチ操作することができて、刈り取り作業の確実性と安全性を良好に確保することができる。
【００５３】
図６及び図７は、第２実施例としてのリール進出・後退操作手段60とリール増・減速操作手段61の配設構造を示しており、同第２実施例では、ステアリングホイール33に操作基盤64を取り付け用リング65を介して着脱自在に取り付け、同操作基盤64の上面の前後部に、リール進出・後退操作手段60のリール進出操作用スイッチ部６0aとリール後退操作用スイッチ部60bをそれぞれ配置すると共に、同操作基盤64の上面の左右側部に、リール増・減速操作手段61のリール増速操作用スイッチ部６1aとリール減速操作用スイッチ部61bをそれぞれ配置している。
【００５４】
ここで、各操作用スイッチ部60a,60b,61a,61bは、平面視で三角形状に形成すると共に、各三角形の頂部の一つを疑似矢印として進出・後退調節方向、及び、増・減速調節方向を示すように配置している。
【００５５】
しかも、操作基盤64の上面の前部左右側位置には、刈取部を所定の刈取作業開始位置に自動的にセットするための自動セット用操作手段としての自動セット用スイッチ39と、刈取作業終了時に刈取部を所定の位置まで自動的にリフトさせる自動リフト用操作手段としての自動リフト用スイッチ40とを配置している。
【００５６】
ここで、各スイッチ39,40は、平面形状を円形状に形成して、上記した各操作用スイッチ部60a,60b,61a,61bの形状とは、見ただけで又触っただけで判別できるように異ならせている。
【００５７】
このようにして、操作基盤64の上面に、リール進出操作用スイッチ部６0aとリール後退操作用スイッチ部60bとリール増速操作用スイッチ部６1aとリール減速操作用スイッチ部61bと自動セット用スイッチ39と自動リフト用スイッチ40とを集中配置しているため、オペレータは、ステアリングホイール33を把持している右手H1の親指F1にて、各スイッチ部60a,60b,61a,61bと各スイッチ39,40をそれぞれ簡単かつ確実に操作することができる。
【００５８】
そして、これら各スイッチ部60a,60b ,61a,61bと各スイッチ39,40は、形状や三角形の頂部の向きが異なるため、オペレータは触っただけでもそれぞれを容易に認識することができて、前方を視認したまま操向操作を行いながらでも、各スイッチ操作を簡単かつ確実に行うことができる。
【００５９】
また、操作基盤64は、オペレータの好みに応じてステアリングホイール33の左側部にも取り付け用リング65を介して付け替えることができ、この場合には、オペレータは、ステアリングホイール33を把持している左手H2の親指F2にて、各スイッチ部60a,60b,61a,61bと各スイッチ39,40をそれぞれ簡単かつ確実に操作することができる。
【００６０】
図８及び図９は、第３実施例としてのリール進出・後退操作手段60とリール増・減速操作手段61の配設構造を示しており、同第３実施例では、リール進出・後退操作手段60とリール増・減速操作手段61とを一体化して単一操作手段としてのスティック状スイッチ66となしており、同スティック状スイッチ66は、ステアリングホイール33をホイール支軸67に支持する放射状ステー68に起立状態に取り付けると共に、前後左右の十字方向にそれぞれ傾動させることにより、掻き込みリール12を前・後方向に進退位置調節するスイッチ操作と、掻き込みリール12の回転数を増・減速調節するスイッチ操作とが行えるようにしている。ａはリール進出操作方向、ｂはリール後退操作方向、ｃはリール回転増速操作方向、ｄはリール回転減速操作方向である。
【００６１】
また、放射状ステー68に、前記した第１実施例や第２実施例に示した各スイッチ部60a,60b,61a,61bや各スイッチ39,40を設けることもでき、この場合も、各スイッチ部60a,60b,61a,61bや各スイッチ39,40は、オペレータがステアリングホイール33を把持した状態で親指等により操作しやすい位置に配置することができる。
【００６２】
従って、オペレータの操作しやすい位置であれば、左右いずれか一側の放射状ステー68の外側部に集中配置することも、又、左右側の放射状ステー68,68の外側部にそれぞれ分離して配置することもできる。
【００６３】
なお、本実施例において、各スイッチの形態は、操作のし易さ等を考慮して既存のスイッチを適宜採用することができるものであり、何ら本実施例のものに限定されるものではない。
【００６４】
そして、本実施例において、リール進出・後退操作手段60、リール増・減速操作手段61、自動セット用スイッチ39、及び、自動リフト用スイッチ40と制御部との間の配線は図示していないが、かかる配線はステアリングホイール33内を通して外部より見えないようにすることも、また、無線送信にて行うこともできる。
【図面の簡単な説明】
【００６５】
【図１】本発明にかかる操作部構造を具備する汎用コンバインの右側面図。
【図２】同汎用コンバインの平面図。
【図３】刈取部の左側面図。
【図４】第１実施例としての操作部の平面図。
【図５】同第１実施例としてのステアリングホイールの平面図。
【図６】第２実施例としてのステアリングホイールの平面図。
【図７】同要部の拡大斜視図。
【図８】第３実施例としてのステアリングホイールの平面図。
【図９】同要部の拡大斜視図。
【符号の説明】
【００６６】
Ａ  汎用コンバイン
１  走行部
２  機体フレーム
３  キャビン
４  穀粒貯留タンク
５  脱穀部
６  揺動選別部
【図１】
2007195557.tif 000003
【図２】
2007195557.tif 000004
【図３】
2007195557.tif 000005
【図４】
2007195557.tif 000006
【図５】
2007195557.tif 000007
【図６】
2007195557.tif 000008
【図７】
2007195557.tif 000009
【図８】
2007195557.tif 000010
【図９】
2007195557.tif 000011